(57)【要約】      （修正有）【課題】車両のルーフパネルに設けられるサンルーフ装置のウェザストリップを、下方向からの大きな外力に対して外れにくくする。【解決手段】可動パネル１３は、透過光パネル１５と、透過光パネルの下方周縁部に取付けられた額縁状のインナパネル１７と、インナパネルの全周に取付けられたループ状のウェザストリップ１８とによって構成されている。インナパネルの外側の端部１７ａには、上下方向の一方に延在する第１の高さをもつ第１垂直基部２０ａと、他方に延在する第２の高さをもつ第２垂直基部２０ｂとからなる垂直壁２０が設けられ、ウェザストリップは、垂直壁を上下方向から抱き込むように係合するアゴ部２５，２６を有している。【選択図】図２
2007145195.tif 000002
【特許請求の範囲】
【請求項１】
車両のルーフパネルに設けられた開口部に対して開閉可能な可動パネルを備え、該可動パネルは、透過光パネルと、透過光パネルの下方周縁部に取付けられた額縁状のインナパネルと、インナパネルの全周に前記透過光パネルの周囲を覆うように取付けられたループ状のウェザストリップとを有し、前記インナパネルの外側の端部には、上下方向の一方に延在する第１の高さをもつ第１垂直基部と、他方に延在する第２の高さをもつ第２垂直基部とからなる垂直壁が設けられ、前記ウェザストリップは、前記垂直壁を上下方向から抱き込むように係合するアゴ部を有していることを特徴とするサンルーフ装置におけるパネル構造。
【請求項２】
請求項１において、前記インナパネルは、周縁部が折り曲げられて折り曲げ幅に相当する前記第１の高さをもつ前記第１垂直基部が形成されるとともに、前記第２の高さをもつ前記第２垂直基部が切り起こし形成されるようになっているサンルーフ装置におけるパネル構造。
【請求項３】
請求項２において、前記第２垂直基部の前記第２の高さは、前記第１垂直基部の前記第１の高さより小さく構成されているサンルーフ装置におけるパネル構造。
【発明の詳細な説明】
【技術分野】
【０００１】
本発明は、車両のルーフパネルに設けられた開口部に対して開閉可能な可動パネルを備えたサンルーフ装置におけるパネル構造に関するものである。
【背景技術】
【０００２】
車両のルーフパネルに設けられた開口部に対して開閉可能な可動パネルを備えたサンルーフ装置として、例えば特許文献１に記載されているように、可動パネルによって開口部を閉じた状態から、可動パネルの後端をルーフパネルより持ち上げたり（チルトアップ）、可動パネルの後端をルーフパネルより下げる（チルトダウン）とともに、後方に移動させて開口部を開くようにしたものがある。
【０００３】
この種のサンルーフ装置においては、可動パネルがルーフパネルに対して上下方向にチルトアップ、チルトダウンされることから、ウェザストリップが上下方向の外力に対してもインナパネルより外れにくい構造が求められる。
【０００４】
このために従来、特許文献２に記載されているように、フレームの外縁に周設された立ち上がり部（垂直壁）に膨出部を形成したり、立ち上がり部を折り曲げて形成し、これら膨出部あるいは折り曲げ部にウェザストリップを係合させたものが知られている。
【特許文献１】特開２００３−１４６０８１号公報（段落００１０、図２）
【特許文献２】特開２０００−２９６７１８号公報（段落０００５〜０００８、図１、図２）
【発明の開示】
【発明が解決しようとする課題】
【０００５】
上記した特許文献２に記載された構造のものにおいては、立ち上がり部に膨出部を形成したり、立ち上がり部を折り曲げ形成したことにより、ウェザストリップが簡単に外れない効果は期待できるが、下方向からの強い外力に対しては依然外れやすい問題がある。
【０００６】
本発明は、上述した従来の問題を解消するためになされたもので、ウェザストリップを垂直壁の上下から抱き込むように係合させることにより、比較的大きな外力に対しても外れにくくしたサンルーフ装置におけるパネル構造を提供することを目的とするものである。
【課題を解決するための手段】
【０００７】
上記の課題を解決するため、請求項１に係る発明は、車両のルーフパネルに設けられた開口部に対して開閉可能な可動パネルを備え、該可動パネルは、透過光パネルと、透過光パネルの下方周縁部に取付けられた額縁状のインナパネルと、インナパネルの全周に前記透過光パネルの周囲を覆うように取付けられたループ状のウェザストリップとを有し、前記インナパネルの外側の端部には、上下方向の一方に延在する第１の高さをもつ第１垂直基部と、他方に延在する第２の高さをもつ第２垂直基部とからなる垂直壁が設けられ、前記ウェザストリップは、前記垂直壁を上下方向から抱き込むように係合するアゴ部を有していることを特徴とするものである。
【０００８】
請求項２に係る発明は、請求項１において、前記インナパネルは、周縁部が折り曲げられて折り曲げ幅に相当する前記第１の高さをもつ前記第１垂直基部が形成されるとともに、前記第２の高さをもつ前記第２垂直基部が切り起こし形成されるようになっているものである。
【０００９】
請求項３に係る発明は、請求項２において、前記第２垂直基部の前記第２の高さは、前記第１垂直基部の前記第１の高さより小さく構成されているものである。
【発明の効果】
【００１０】
上記のように構成した請求項１に係る発明によれば、インナパネルの外側の端部に設けられた、上下方向の一方に延在する第１の高さをもつ第１垂直基部と、他方に延在する第２の高さをもつ第２垂直基部とからなる垂直壁を、ウェザストリップのアゴ部によって、上下方向から抱き込むように係合するように構成されている。従って、ウェザストリップの姿勢が垂直壁により規制されて安定し、ウェザストリップのたわみ代（シール代）が安定するので、可動パネルのシール性を向上することができる。しかも、ウェザストリップのアゴ部によって垂直壁を上下方向から抱き込むように係合したので、ウェザストリップに上下方向の比較的大きな外力が作用しても、ウェザストリップはインナパネルより外れることがなく、可動パネルの開閉を長期にわたって安定して作動させることができる。
【００１１】
上記のように構成した請求項２に係る発明によれば、インナパネルは、周縁部が折り曲げられて折り曲げ幅に相当する第１の高さをもつ第１垂直基部が形成されるとともに、第２の高さをもつ第２垂直基部が切り起こし形成されるようになっているので、インナパネルの周縁部を折り曲げるのみで、第１垂直基部および第２垂直基部を有する垂直壁を容易に形成することができる。
【００１２】
上記のように構成した請求項３に係る発明によれば、第２垂直基部の第２の高さは、第１垂直基部の第１の高さより小さく構成されているので、外力に対してウェザストリップをインナパネルより外れないようにしながら、垂直壁に対するウェザストリップの装着を容易に行うことができる。
【発明を実施するための最良の形態】
【００１３】
以下、本発明の第１の実施の形態を図面に基づいて説明する。図１は、車両のルーフパネル１１に装備されたサンルーフ装置１０の平面図である。サンルーフ装置１０は、ルーフパネル１１に形成された略矩形状の開口部１２を開閉する可動パネル１３を備えている。可動パネル１３は、後述するウェザストリップを介して開口部１２の側壁に嵌合されるようになっている。また、可動パネル１３は、後端をルーフパネル１１より上方にチルトアップさせることができるとともに、後端をルーフパネル１１より下方にチルトダウンさせ、かつガイドレール１４に沿って後方に移動させて開口部１２を開閉することができるようになっている。このような可動パネル１３の開閉機構は公知であるので、詳細については説明を省略する。
【００１４】
可動パネル１３は、図２に示すように、透明なガラス板または樹脂パネル等からなる透過光パネル１５と、透過光パネル１５の下方周縁部に粘着剤１６を介して取付けられた額縁状のインナパネル１７と、インナパネル１７の全周に透過光パネル１５の周囲を覆うように装着されるループ状のウェザストリップ１８とによって構成されている。ウェザストリップ１８は、開口部１２の側壁１２ａに摺接し、可動パネル１３と開口部１２との気密を確保するようになっている。
【００１５】
インナパネル１７は、所定の断面形状に成形された額縁状の周縁部１７ｂを、図３に示すように、折り曲げ幅ｈ１で上方に折り曲げることにより、透過光パネル１５に対して垂直な垂直壁２０を形成するようになっている。この際、インナパネル１７の周縁部１７ｂを折り曲げるに先立って、図４に示すように、折り曲げ部ＢＬに沿って多数の凹字状の切込み部２１を間隔を有して形成することにより、垂直壁２０には、折り曲げ部より上方に突出する第１の高さｈ１（折り曲げ幅）をもつ第１垂直基部２０ａと、折り曲げ部より下方に切り起こされた第２の高さｈ２をもつ第２垂直基部２０ｂとが形成される。これにより、インナパネル１７の外側の端部１７ａには、折り曲げ幅ｈ１よりも大きな高さｈ０（第１の高さｈ１＋第２の高さｈ２）の垂直壁２０が形成される。なお、第１垂直基部２０ａの第１の高さｈ１と、第２垂直基部２０ｂの第２の高さｈ２は、ほぼ２：１の関係に設定され、第２垂直基部２０ｂの第２の高さｈ２のほうを小さく構成している。
【００１６】
ウェザストリップ１８は、インナパネル１７の垂直壁２０に係合するウェザストリップ本体２３と、透過光パネル１５の外縁および開口部１２の側壁１２ａに当接する弾性シール部２４からなり、これらウェザストリップ本体２３と弾性シール部２４は、共押出しにより一体成形されている。ウェザストリップ本体２３は、垂直壁２０の第１垂直基部２０ａを上方から抱き込むように係合する係合溝２５ａを有する第１アゴ部２５と、第２垂直基部２０ｂを下方から抱き込むように係合する係合溝２６ａを有する第２アゴ部２６を有する。第１アゴ部２５の内側には、インナパネル１７の上面に接合してインナパネル１７の内方に延びる水平部２７が接続されている。
【００１７】
上記した構成のウェザストリップ１８のウェザストリップ本体２３を、インナパネル１７の外側の端部１７ａに形成した垂直壁２０に装着するには、比較的寸法の短い第２垂直基部２０ｂに係合する下方の第２アゴ部２６を弾性変形させて、第１アゴ部２５の係合溝２５ａを上方から垂直壁２０の第１垂直基部２０ａに係合させ、水平部２７をインナパネル１７の上面に接合させる。その状態で、第２アゴ部２６の係合溝２６ａを下方から垂直壁２０の第２垂直基部２０ｂに係合させるように弾性復帰させる。これにより、第１垂直基部２０ａおよび第２垂直基部２０ｂは、ウェザストリップ１８の第１アゴ部２５および第２アゴ部２６によって水平方向に挟持されるとともに、垂直壁２０が第１アゴ部２５および第２アゴ部２６によって上下方向から抱き込まれるように係合されるため、ウェザストリップ１８は上下方向から比較的強い外力が作用しても外れることがない。
【００１８】
このように、第１の実施の形態によれば、ウェザストリップ１８は、大きな垂直高さ（ｈ０）を有する垂直壁２０によって姿勢が規制されるので、ウェザストリップ１８の姿勢が安定される。また、ウェザストリップ１８の姿勢が安定することにより、開口部１２の側壁１２ａに対するウェザストリップ１８のたわみ代（シール代）Ｓ１が安定するので、シール性が向上する。しかも、垂直壁２０は、折り曲げ部より上下に延在されて、ウェザストリップ１８の第１および第２アゴ部２５、２６によって、上下方向から抱き込まれるように係合されるので、ウェザストリップ１８に上下方向の比較的大きな外力が作用しても、ウェザストリップ１８はインナパネル１７より外れにくい。また、垂直壁２０の第２垂直基部２０ｂの第１の高さ寸法（ｈ２）を第１垂直基部２０ａの第２の高さ寸法より小さくしているので、ウェザストリップ１８をインナパネル１７の垂直壁２０に装着する際に、第２垂直基部２０ｂに係合する側の第２アゴ部２６を容易に弾性変形させることができ、ウェザストリップ１８をインナパネル１７に容易に装着できるようになる。
【００１９】
なお、インナパネル１７の垂直壁２０に接触するウェザストリップ１８の内面と、垂直壁２０とを接着剤等によって面接着させることにより、より強固な結合が得られ、ウェザストリップ１８がインナパネル１７より外れるのを確実に防止できるようになる。
【００２０】
図５および図６は、本発明の第２の実施の形態を示すもので、第１の実施の形態と異なる点は、インナパネル１７の外側の端部１７ａに形成される垂直壁２０の形状、およびこの垂直壁２０に係合されるウェザストリップ１８のアゴ部２５，２６の形状を変更したものである。
【００２１】
すなわち、第２の実施の形態においては、所定の断面形状に成形された額縁状をなすインナパネル１７の周縁部１７ｂを、図６に示すように、折り曲げ幅ｈ１で下方に折り曲げることにより、インナパネル１７の外側の端部１７ａに透過光パネル１５に対して垂直な垂直壁３０を形成したものである。そして、この場合にも、インナパネル１７に予め、折り曲げ部に沿って多数の凹状の切込み部３１を形成したことにより、垂直壁３０は、折り曲げ部より下方に突出する第１の高さｈ１（折り曲げ幅）をもつ第１垂直基部３０ａと、折り曲げ部より上方に切り起こされた第２の高さｈ２をもつ第２垂直基部３０ｂとが形成される。これにより、インナパネル１７の外側の端部１７ａに、折り曲げ幅ｈ１よりも大きな高さｈ０（ｈ１＋ｈ２）の垂直壁３０を形成できる。
【００２２】
一方、ウェザストリップ１８のウェザストリップ本体３３には、垂直壁３０の第１垂直基部３０ａを下方から抱き込むように係合する係合溝を有する第１アゴ部３５と、第２垂直基部３０ｂを上方から抱き込むように係合する係合溝を有する第２アゴ部３６を有する。
【００２３】
かかるウェザストリップ１８を、インナパネル１７の外側の端部１７ａに装着するには、比較的寸法の短い上方の第２アゴ部３６を弾性変形させて、第１アゴ部３５の係合溝３５ａを垂直壁３０の第１垂直基部３０ａに係合させ、次いで、第２アゴ部３６の係合溝３６ａを下方から垂直壁３０の第２垂直基部３０ｂに係合させる。
【００２４】
この第２の実施の形態においても、上記した第１の実施の形態で述べたと同様に、ウェザストリップ１８は、大きな垂直高さ（ｈ０）を有する垂直壁３０によって姿勢が規制されるので、ウェザストリップ１８のたわみ代（シール代）が安定し、シール性を向上できる。また、垂直壁３０が第１アゴ部３５および第２アゴ部３６によって上下方向から抱き込まれるように係合されるため、ウェザストリップ１８は上下方向から比較的強い外力が作用しても外れることがない。
【図面の簡単な説明】
【００２５】
【図１】サンルーフ装置の平面図である。
【図２】本発明の第１の実施の形態を示す図１のＡ−Ａ線に沿って切断したパネル構造の断面図である。
【図３】第１の実施の形態におけるインナパネルの斜視図である。
【図４】図３のインナパネルの周縁部を折り曲げる前の図である。
【図５】本発明の第２の実施の形態を示すパネル構造の断面図である。
【図６】第２の実施の形態におけるインナパネルの斜視図である。
【符号の説明】
【００２６】
１０…サンルーフ装置、１１…ルーフパネル、１２…開口部、１３…可動パネル、１５…透過光パネル、１７…インナパネル、１７ａ…外側の端部、１７ｂ…周縁部、１８…ウェザストリップ、２０、３０…垂直壁、２０ａ、３０ａ…第１垂直基部、２０ｂ、３０ｂ…第２垂直基部、２１、３１…切込み部、２３、３３…ウェザストリップ本体、２４…弾性シール部、２５、３５…第１アゴ部、２６、３６…第２アゴ部。
【図１】
2007145195.tif 000003
【図２】
2007145195.tif 000004
【図３】
2007145195.tif 000005
【図４】
2007145195.tif 000006
【図５】
2007145195.tif 000007
【図６】
2007145195.tif 000008